(57)【特許請求の範囲】
【請求項１】
アナログ端末をデジタル専用線に接続可能とするターミナルアダプタであって、
ＳＳ／ＳＲ方式の４線式ＯＤインタフェースのポートと、ＰＢ信号の組合せによるパターンデータを利用した擬似的な呼制御情報を送受信する制御手段とを有しており、
前記制御手段は、
発着信待機状態では、ＰＢ信号の組合せによる第１のパターンデータを連続して送出し、
前記アナログ端末からの発信要求をＳＳ信号オンによって認識すると、第１のパターンデータの送出を停止して、通信相手装置からの前記第１のパターンデータの送出が停止されるまで、ＳＳ信号オンを示すＰＢ信号の組合せによる第２のパターンデータを送出し、
前記アナログ端末からのダイヤルデータを送出し、
前記相手通信装置から着信応答であるＳＳオンを示すＰＢ信号の組合せによる第３のパターンデータを受信すると通信接続を行い、
この後、前記アナログ端末からの切断要求をＳＳ信号オフによって認識すると、前記第１のパターンデータを送信し、
前記相手通信装置から切断信号であるＳＳオフを示す前記第１のパターンデータを受信すると、前記アナログ端末に対してＳＲ信号オフの状態にする、
ことを特徴とするターミナルアダプタ。
【請求項２】
前記ＳＳ／ＳＲ方式の４線式ＯＤインタフェースのポートを２ポート装備している、請求項１記載のターミナルアダプタ。
【請求項３】
アナログ端末をデジタル専用線に接続可能とするターミナルアダプタであって、
標準電話機またはＰＢＸ等の２線式局線トランクインタフェースのポートと、ＰＢ信号の組合せによるパターンデータを利用した擬似的な呼制御情報を送受信する制御手段とを有しており、
前記制御手段は、
発着信待機状態では、ＰＢ信号の組合せによる第１のパターンデータを連続して送出し、
前記アナログ端末のオフフック状態を認識すると、第１のパターンデータの送出を停止して、通信相手装置からの前記第１のパターンデータの送出が停止されるまで、オフフック状態であることを示すＰＢ信号の組合せによる第２のパターンデータを送出し、
前記相手通信装置から着信応答であるオフフック状態を示すＰＢ信号の組合せによる第３のパターンデータを受信すると通信接続を行い、
この後、前記アナログ端末からの切断要求をオンフック状態を認識すると、前記第１のパターンデータを送信し、
前記相手通信装置からオンフック状態を示す前記第１のパターンデータを受信する、
ことを特徴とするターミナルアダプタ。
【請求項４】
前記標準電話機またはＰＢＸ等の２線式局線トランクインタフェースのポートを２ポート装備している、請求項３記載のターミナルアダプタ。
【発明の詳細な説明】
【０００１】
【発明の属する技術分野】
本発明は、ターミナルアダプタであり、特に既存のアナログ端末をデジタル専用線に接続可能とし、通信を実現するターミナルアダプタに関する。
【０００２】
【従来の技術】
従来から、アナログ端末を専用線に接続可能にする為には、インバンドリンガーを使用している。インバンドリンガーは、発呼、着呼、終話等の情報及びダイヤル信号を音声周波数帯域の信号を利用して送受信する装置である。そして、インバンドリンガーを使用してアナログ端末が接続する専用線は、アナログ専用線に限られており。デジタル専用線では困難であった。そして、使用するアナログ端末の回線数だけ、インバンドリンガー及びアナログ専用線の回線が必要であった。
【０００３】
【発明が解決しようとする課題】
本発明は、従来技術の問題を解決するものであり、既存のアナログ端末をデジタル専用線に接続可能とし、そして、アナログ端末の回線数より少ない回線数で足りるターミナルアダプタを提供することを目的とする。
【０００４】
【課題を解決するための手段】
本発明は、アナログ端末をデジタル専用線に接続可能とするターミナルアダプタであって、ＰＢ信号の組合せによるパターンデータを利用した擬似的な呼制御情報を送受信する手段を有するターミナルアダプタである。
【０００５】
また、本発明は、上記擬似的な呼制御情報を表すデータの長さを、時間短縮及び使用環境によって変更することができるターミナルアダプタである。
【０００６】
そして、本発明は、ＳＳ／ＳＲ方式の４線式ＯＤインタフェースを２ポート装備しているターミナルアダプタである。
【０００７】
更に、本発明は、標準電話機またはＰＢＸ等の２線式局線トランクインタフェースを２ポート装備しているターミナルアダプタである。
【０００８】
【発明の実施の形態】
以下、発明の実施の形態を説明する。
本発明のターミナルアダプタの実施例について、図１〜図５を用いて説明する。図１は、実施例１のターミナルアダプタを使用するシステムの一例の説明図である。図２は、実施例１のターミナルアダプタを使用する際のシーケンスの一例の説明図である。図３は、実施例２のターミナルアダプタを使用するシステムの一例の説明図である。図４は、実施例２のターミナルアダプタを使用する際のシーケンスの一例の説明図である。図５は、実施例３のターミナルアダプタを使用するシステムの一例の説明図である。
【０００９】
本発明のターミナルアダプタは、特定のＰＢ信号の組合せによるパターンデータを利用した擬似的な呼制御情報を送受信する手段を有しており、ＳＳ／ＳＲ方式のＯＤインタフェースを２ポート装備していて、４線式インタフェースを持ったターミナルアダプタＡと、標準電話機またはＰＢＸ等の局線トランクインタフェースを２ポート装備していて、２線式インタフェースを持ったターミナルアダプタＢの２つのタイプに分別できる。ターミナルアダプタＡ、ターミナルアダプタＢ共に、デジタル専用線６４ｋｂｐｓまたはデジタル専用線１２８ｋｂｐｓ接続される。
【００１０】
以下、「ＣＯＮＴ−」で表現されるものは、特定のＰＢ信号の組合せによるパターンデータを示しており、これらのパターンデータによって、ターミナルアダプタＡは、発呼、着呼、終話等の擬似的な呼制御情報の送受信を行う。パターンデータは、一般に使用されている「０」〜「９」、「♯」、「＊」のＰＢ信号に加えて、ターミナルアダプタ独自のＰＢ信号の組合せによって構成されている。
【００１１】
「ＣＯＮＴ−Ａ」は、通常、通信が行われていない発着信待機状態では、常時連続して送出、監視しており、これによりデジタル専用線の状態を監視している。そして、発信する場合や着信を受けた場合にＣＯＮＴ−Ａの送出は停止され、そして、通信時は、デジタル専用線上にはパターンデータは何も送出されていない状態となる。このため、ＣＯＮＴ−Ａは、切断情報のパターンデータとして監視される。通信中に切断した側のターミナルアダプタは、ＣＯＮＴ−Ａの送信を開始する。一方、通信中にＣＯＮＴ−Ａを受信したターミナルアダプタは、アナログ端末の切断待ちとなり、アナログ端末が切断に応答してからＣＯＮＴ−Ａの送信を開始する。互いにＣＯＮＴ−Ａの送信、受信ができると発着信待機状態へ戻る。
【００１２】
なお、ＣＯＮＴ−Ａは、時間短縮及び使用環境によって、１パターンの長さを約２４０ｍｓ、約３６０ｍｓ、約４８０ｍｓ、約６００ｍｓの範囲で調整することが可能である。
【００１３】
「ＣＯＮＴ−Ｂ」は、発信側のターミナルアダプタが発信時にＣＯＮＴ−Ａに代って送信を開始する発信情報のパターンデータである。対向装置が着信に応答してＣＯＮＴ−Ａを停止するまで送出し続ける。ＣＯＮＴ−Ｂの１パターンの長さは約３６０ｍｓである。
【００１４】
「ＣＯＮＴ−Ｃ」は、着信側のターミナルアダプタが呼出に応答した場合に送信する呼出応答情報のパターンデータである。ＣＯＮＴ−Ｃに限っては１回のみの送出となり、連続送出しない。ＣＯＮＴ−Ｃは、約２４０ｍｓの信号である。
【００１５】
本発明のターミナルアダプタは、セルフテスト機能をサポートしており、電源ＯＮ時にセルフテストを行い、レイヤ１確立動作を行った後、起動情報のパターンデータの送受信を行ってから、互いにＣＯＮＴ−Ａの送信を開始し、発着信待機状態となる。
【００１６】
実施例１を説明する。本実施例のターミナルアダプタＡ１１Ｌは、４線式インタフェースを持っており、図１に示すように、アナログ端末２１Ｌ、２２Ｌを接続し、ＯＤトランク３１Ｌ、３２Ｌを収容したＰＢＸ３Ｌとデジタル専用線５とをＳＳ線４１Ｌ、ＳＲ線４２Ｌ及びでデジタル接続線４５Ｌを介して接続する。同様に、ターミナルアダプタＡ１１Ｒは、４線式インタフェースを持っており、アナログ端末２１Ｒ、２２Ｒを接続し、ＯＤトランク３１Ｒ、３２Ｒを収容したＰＢＸ３Ｒとデジタル専用線５とをＳＳ線４１Ｒ、ＳＲ線４２Ｒ及びデジタル接続線４５Ｒを介して接続する。
【００１７】
実施例１のターミナルアダプタＡによる接続、呼出、切断の制御方法の一例について、図２を用いて説明する。以下、第２ＤＴ方式でアナログ端末がＰＢ信号を使用した場合の例を用いて説明するが、必ずしも第２ＤＴ方式、ＰＢ信号に限定されるべきものではなく、接続確認方式、ＤＰ信号でも使用することは可能である。但し、対向装置が異なる方式の場合は、対応できない。
【００１８】
ターミナルアダプタＡ１１Ｌは、電源ＯＮ後、セルフテスト・レイヤ１確立動作を行い、回線５からのＰＢ信号の監視と、ＳＳ線の監視を開始するとともに、回線５へＣＯＮＴ−Ａの送出１０１を開始する。同様に、ターミナルアダプタ１１Ｒは、電源ＯＮ後、セルフテスト・レイヤ１確立動作を行い、回線５からのＰＢ信号の監視と、ＳＳ線の監視を開始するとともに、回線５へＣＯＮＴ−Ａの送出１０２を開始する。
【００１９】
アナログ端末２ＬからのＯＦＦＨＯＯＫ１１１を検出し、ＰＢＸ３Ｌは、ＳＳ線をＯＮ１１２する。ＳＳ線ＯＮ１１２を検出したターミナルアダプタＡ１１Ｌは、常時続けていたＣＯＮＴ−Ａ送出を停止１１３するとともに発信情報パターンデータＣＯＮＴ−Ｂ送出１１４を開始する。一方、対向側のターミナルアダプタＡ１１Ｒは、検出していたＣＯＮＴ−Ａの停止及び発信情報パターンデータＣＯＮＴ−Ｂを検出して着信を受けたと判断し、ＳＲ線ＯＮ１１５する。これにより、ＰＢＸ３Ｒが起動する。なお、接続確認方式の場合は、ここで、ＳＳ線ＯＮ・ＯＦＦによる接続確認信号の受信動作を行う。また、受信側ターミナルアダブタＡ１１Ｒは、発信情報パターンデータＣＯＮＴ−Ｂ検出により、着信に応答した情報として、今まで続けていたＣＯＮＴ−Ａ送出を停止１１６する。発信側のターミナルアダプタＡ１１Ｌは、ＣＯＮＴ−Ａ停止を検出することにより相手の着信応答を確認したので、発信情報パターンデータＣＯＮＴ−Ｂを停止１１７する。
【００２０】
ここで、発信側のＰＢＸ３Ｌは、ダイヤルデータ送出１２１を行う。ダイヤルデータとしてＰＢ信号を使用して送出する場合、ＰＢＸ３Ｌから直接回線５へＰＢ信号が送出される。また、ダイヤルデータとしてＤＰ信号を使用して送出する場合、ＰＢＸ３ＬがＳＲ線をＯＮ・ＯＦＦし、ターミナルアダプタＡ１１Ｌは、ＤＰ信号を検出し、ＤＰ信号をＰＢ信号に変換し、回線５へ送信する。
【００２１】
着信側は、すでにＣＯＮＴ−Ｂ停止を受信しており、ＰＢＸ３Ｒはダイヤルデータ１２１受信を行う。ダイヤルデータとしてＰＢ信号を使用して受信する場合、回線５から直接ＰＢＸ３ＲへＰＢ信号が送出される。また、ダイヤルデータとしてＤＰ信号を使用して受信する場合、ターミナルアダプタＡ１１ＲがＰＢ信号を検出し、ＳＲ線をＯＮ・ＯＦＦすることによりＤＰ信号に変換され、ＰＢＸ３Ｒへ送信される。ダイヤルデータを受信したＰＢＸ３Ｒは、アナログ端末２１ＲのＯＦＦＨＯＯＫを検出するまで、ＩＲ出力１２２を行う。
【００２２】
ＩＲの出力後、アナログ端末２１ＲのＯＦＦＨＯＯＫ１２３を検出して、ＰＢＸ３Ｒは、ＩＲ出力を停止するとともに、ＳＳ線ＯＮ１２４する。ＳＳ線ＯＮ１２４により、ターミナルアダプタＡ１１Ｒは、呼出応答情報パターンデータＣＯＮＴ−Ｃ送出１２５を行い、通話状態１３１となる。一方、ターミナルアダプタＡ１１Ｌも、呼出応答情報パターンデータＣＯＮＴ−Ｃの検出により通話状態１３１となる。通話状態１３１でも、ターミナルアダプタＡ１１Ｌ、１１Ｒは、切断情報パターンデータＣＯＮＴ−Ａを監視している。
【００２３】
通話状態１３１で、アナログ端末２ＬのＯＮＨＯＯＫ１４１を検出すると、ＰＢＸ３Ｌは、ＳＳ線ＯＦＦ１４２する。このＳＳ線ＯＦＦ１４２により、ターミナルアダプタＡ１１Ｌは、切断情報パターンデータＣＯＮＴ−Ａ送出１４３を開始する。一方、通話状態１３１で切断情報パターンデータＣＯＮＴ−Ａ１４３を検出したターミナルアダプタＡ１１Ｒは、ＳＲ線ＯＦＦ１４４する。これにより、ＰＢＸ３Ｒは、ＢＴ１４５を出力する。
【００２４】
アナログ端末２１ＲのＯＮＨＯＯＫ１４６を検出すると、ＰＢＸ３Ｒは、ＳＳ線をＯＦＦ１４７する。このＳＳ線ＯＦＦ１４７により、ターミナルアダプタＡ１１Ｒは、切断応答情報パターンデータＣＯＮＴ−Ａ送出１４８を開始する。切断側のターミナルアダプタＡ１１Ｌは、この切断応答情報パターンデータＣＯＮＴ−Ａ１４８を検出すると、ＳＲ線ＯＦＦ１４９する。
【００２５】
以上の処理により、ターミナルアダプタＡ１１Ｌ、１１Ｒ共に、発着信待機状態となり、再度、ＣＯＮＴ−Ａ送出１０１、１０２とＰＢ信号の監視によって回線５の状態の監視を行うことなる。
【００２６】
実施例２を説明する。本実施例のターミナルアダプタＢは、特に２線式インタフェースを持っており、そして、デジタル専用線に接続する場合のシステム構成図の一例を図３に示す。図３において、標準電話機２３Ｌ、２４Ｌとデジタル専用線５とを接続線４３Ｌ、４４Ｌ、４５Ｌを介して接続する。同様に、ターミナルアダプタＢ１２Ｒは、４線式インタフェースを持っており、標準電話機２３Ｒ、２４Ｒとデジタル専用線５とを接続線４３Ｒ、４４Ｒ、４５Ｒを介して接続する。
【００２７】
実施例２のターミナルアダプタＢによる接続、呼出、切断の制御方法の一例について、図４を用いて説明する。
【００２８】
以下、ターミナルアダプタＢを対向装置とし、ＯＦＦＨＯＯＫのみで相手のＣＨポートを呼び出す、ホットラインモードの例を用いて説明するが、必ずしもターミナルアダプタＢを対向装置としたホットラインモードに限定されるべきものではなく、接続確認方式設定のターミナルアダプタＡや、第２ＤＴ方式設定のターミナルアダプタＡを対向装置としても通信可能である。対向装置がターミナルアダプタＡの場合のダイヤルデータを送信する手段は、ＰＢ信号でも、ＤＰ信号のどちらでもよい。また、ターミナルアダプタＢを標準電話機に接続した場合の例を用いて説明するが、必ずしも標準電話機に限るものではなく、局線トランクを収容したＰＢＸとすることも可能である。
【００２９】
ターミナルアダプタＢ１２Ｌは、電源ＯＮ後、セルフテスト・レイヤ１確立動作後、回線５からのＰＢ信号の監視と、標準電話機のＯＦＦＨ００Ｋの監視を開始する。同時に、回線５へＣＯＮＴ−Ａ送出２０１を行う。同様に、ターミナルアダプタＢ１２Ｒは、電源ＯＮ後、セルフテスト・レイヤ１確立動作後、回線５からのＰＢ信号の監視と、標準電話機のＯＦＦＨ００Ｋの監視を開始する。同時に、回線５へＣＯＮＴ−Ａ送出２０２を行う。
【００３０】
標準電話機２３ＬのＯＦＦＨ００Ｋ２１１を検出し、ターミナルアダプタＢ１２Ｌは、送出し続けていたＣＯＮＴ−Ａを停止２１２し、発信情報パターンデータＣＯＮＴ−Ｂ送出２１３を開始する。一方、対向側のターミナルアダプタ１２Ｒは、検出していたＣＯＮＴ−Ａの停止と発信情報パターンデータＣＯＮＴ−Ｂを検出して着信を受けたと判断し、着信に応答した情報として、今まで送出し続けていたＣＯＮＴ−Ａを停止２１４する。
【００３１】
発信側のターミナルアダプタＢ１２Ｌは、ＣＯＮＴ−Ａの停止２１４を検出することにより相手の着信を確認したので、発信情報パターンデータのＣＯＮＴ−Ｂを停止２１５する。そして、着信側のターミナルアダプタＢ１２Ｒは、標準電話機２３Ｒに対し、ＩＲ送出２１６し、同時に回線５へＲＢＴ送出２１７を行う。なお、着信側が４線式インタフェースを有するターミナルアダブタＡの場合は、ダイヤルデータの送信を行う。この場合、着信側の処理は、実施例１（図面２）の説明と同様となる。
【００３２】
ＩＲ出力後、標準電話機２３ＲのＯＦＦＨＯＯＫ２１８を検出し、ターミナルアダプタＢ１２Ｒは、ＩＲ送出を停止し、ＲＢＴを停止し、そして、呼出応答情報パターンデータのＣＯＮＴ−Ｃ２１９を行う。これにより、通話状態２２１となる。一方、ターミナルアダプタＢ１２Ｌは、呼出応答情報パターンデータＣＯＮＴ−Ｃ２１９の検出により通話状態２２１となる。通話状態２２１でも、ターミナルアダプタＢ１２Ｌ、ターミナルアダプタＢ１２Ｒは、切断情報パターンデータＣＯＮＴ−Ａを監視している。
【００３３】
通話状態２２１で、ターミナルアダプタＢ１２Ｌは、標準電話機２３ＬのＯＮＨＯＯＫ２４１を検出して、切断情報パターンデータＣＯＮＴ−Ａ送出２４２を開始する。一方、通話状態２２１で、ターミナルアダプタＢ１２Ｒは、切断情報パターンデータＣＯＮＴ−Ａ２４２を検出すると、標準電話機２３Ｒに対しＢＴ送出２４３を行う。ターミナルアダプタＢ１２Ｒは、標準電話機２３ＲのＯＮＨＯＯＫ２４４を検出して、切断応答情報パターンデータＣＯＮＴ−Ａの送出２４５を開始する。切断側のターミナルアダプタＡ１２Ｌは、この切断応答情報パターンデータＣＯＮＴ−Ａ２４５を検出し、発着信待機状態となる。
【００３４】
以上の処理により、ターミナルアダプタＢ１２Ｌ、ターミナルアダプタＢ１２Ｒ共に、発着信待機状態となり、ＣＯＮＴ−Ａ送出２０１、２０２とＰＢ信号の監視によって回線５の状態の監視を行う。
【００３５】
実施例３を説明する。本実施例では、４線式インタフェースを持ったターミナルアダプタＡと２線式インタフェースを持ったターミナルアダプタＢを対向して使用しており、デジタル専用線５に接続する場合のシステムの一例の説明図を図５に示す。ここではターミナルアダプタＢを標準電話機に接続した場合の例を示しているが、必ずしも標準電話機に限るものではなく、局線トランクを収容したＰＢＸも含むものとする。
【００３６】
実施例３における接続、呼出、切断の制御方法については、実施例１（図２）及び実施例２（図４）と同様であり、説明は割愛する。
【００３７】
以上、実施例で説明したように、各実施例のターミナルアダプタを使用することにより、特定のＰＢ信号によるパターンデータを利用して、デジタル専用線上で擬似的に呼制御を行うことができ、そして、既存のアナログ端末をデジタル専用線に接続することができる。また、デジタル専用線１回線でアナログ端末を２つ収容できる。
【００３８】
【発明の効果】
本発明によれば、既存のアナログ端末をデジタル専用線に接続可能とし、そして、アナログ端末の回線数より少ない回線数で足りるターミナルアダプタを得ることができる。
【図面の簡単な説明】
【図１】実施例１のターミナルアダプタを使用するシステムの一例の説明図。
【図２】実施例１のターミナルアダプタを使用する際のシーケンスの一例の説明図。
【図３】実施例２のターミナルアダプタを使用するシステムの一例の説明図。
【図４】実施例２のターミナルアダプタを使用する際のシーケンスの一例の説明図。
【図５】実施例３のターミナルアダプタを使用するシステムの一例の説明図。
【符号の説明】
１１Ｌ、１１Ｒ  ターミナルアダプタＡ
１２Ｌ、１２Ｒ  ターミナルアダプタＢ
２１Ｌ、２１Ｒ、２２Ｌ、２２Ｒ  アナログ端末
２３Ｌ、２３Ｒ、２４Ｌ、２４Ｒ  標準電話機
３Ｌ、３Ｒ  ＰＢＸ
３１Ｌ、３１Ｒ、３２Ｌ、３２Ｒ  ＯＤトランク
４１Ｌ、４１Ｒ  ＳＳ線
４２Ｌ、４２Ｒ  ＳＲ線
４３Ｌ〜４５Ｒ  接続線
５  デジタル専用線
【図１】
0004421086.tif 000002
【図２】
0004421086.tif 000003
【図３】
0004421086.tif 000004
【図４】
0004421086.tif 000005
【図５】
0004421086.tif 000006